(57)【要約】【課題】ディスク１０を装着すべきディスク装着部を覆ってドア２が開閉可能に配備され、該ドア２はドアモータによって開閉駆動されるディスク再生装置において、ディスク再生中にドアが開いたときの危険を回避する。【解決手段】本発明に係るディスク再生装置は、ドア２が全閉状態であるか否かを検知するドア閉スイッチ４６を具え、ドア閉モードにてドア閉スイッチ４６によってドア２が全閉状態から開いたことが検知されたとき、ドアモータをドア閉方向に回転させて、ドア２を強制的に閉じる。【選択図】      図１
2004355768.tif 000002
【特許請求の範囲】
【請求項１】
ディスク装着部を覆ってドア（２）が開閉可能に配備され、該ドア（２）はドアモータ（４４）によって開閉駆動されるディスク再生装置において、
ドア（２）が全閉状態であるか否かを検知する検知手段と、
ドア閉モードにて、前記検知手段によってドア（２）が全閉状態から開いたことが検知されたとき、ドアモータ（４４）をドア閉方向に回転させて、ドア（２）を閉じる制御手段
とを具えていることを特徴とするディスク再生装置。
【請求項２】
前記制御手段は、ドア閉モードにてドアモータ（４４）がドア閉方向の回転を開始した後に所定時間が経過したか否かを判断し、該所定時間が経過した時点にて、前記検知手段によってドア（２）が全閉状態となっていないことが検知されたときは、ディスク（１０）の回転を停止させると共に、ドアモータ（４４）をドア開方向に回転させて、ドア（２）を開く請求項１に記載のディスク再生装置。
【請求項３】
ディスク装着部を覆ってドア（２）が開閉可能に配備され、該ドア（２）はドアモータ（４４）によって開閉駆動されるディスク再生装置において、
ドア（２）が全閉状態であるか否かを検知する検知手段と、
ドア閉モードにて、前記検知手段によってドア（２）が全閉状態から開いたことが検知されたとき、ディスク（１０）の回転を停止させると共に、ドアモータ（４４）をドア開方向に回転させて、ドア（２）を開く制御手段
とを具えていることを特徴とするディスク再生装置。
【発明の詳細な説明】
【０００１】
【発明の属する技術分野】
本発明は、ディスクに記録されている信号を再生するためのディスク再生装置に関し、更に具体的には、ディスク装着部を開閉すべき前面ドアや上蓋（以下、ドアと総称する）をモータによって開閉駆動するディスク再生装置に関するものである。
【０００２】
【従来の技術】
従来、ディスク再生装置においては、ディスクを回転させるためのターンテーブルが配備されているディスク装着部を覆って、ドアが開閉可能に配備され、該ドアはドアモータによって開閉駆動することが可能となっており、ユーザは、キー操作によってドアを自動的に開閉させることが出来る（特許文献１参照）。
【０００３】
【特許文献１】
特開２００３−７０４３号公報［Ｇ１１Ｂ３３／０２］
【０００４】
【発明が解決しようとする課題】
しかしながら、ドアを開閉駆動するディスク再生装置においては、ディスクの再生中に、大きな振動が加わることによってドアが全閉状態から開いたり、ユーザ自身が全閉状態のドアを手で無理に開けようとすることがあり、この様な場合にドアが開くと、高速で回転するディスクが露出することとなって、ディスクが損傷する虞があるばかりでなく、ユーザが怪我をする虞があり、危険である。
従来のディスク再生装置においては、ドアを閉じたモードでドアを全閉位置でロックするロック機構が装備されているが、これによって装置構成が複雑となり、コストアップに繋がる問題があった。
【０００５】
そこで本発明の目的は、ドアにロック機構を設けることなく、ディスク再生中にドアが開いたときの危険を回避することが出来るディスク再生装置を提供することである。
【０００６】
【課題を解決する為の手段】
本発明に係るディスク再生装置は、
ディスク装着部を覆うドア（２）が全閉状態であるか否かを検知する検知手段と、
ドア閉モードにて、前記検知手段によってドア（２）が全閉状態から開いたことが検知されたとき、ドアモータ（４４）をドア閉方向に回転させて、ドア（２）を閉じる制御手段
とを具えている。
【０００７】
上記本発明のディスク再生装置においては、ディスクの再生中に、大きな振動が加わることによってドアが全閉状態から開いたり、ユーザ自身が全閉状態のドアを手で無理に開けた場合、このことが検知手段によって検知され、該検知に基づいて、ドアモータ（４４）がドア閉方向に回転し、ドア（２）が強制的に閉じられる。
従って、高速回転するディスクは再びドア（２）によって覆われ、危険が回避される。
【０００８】
具体的構成において、前記制御手段は、ドア閉モードにてドアモータ（４４）がドア閉方向の回転を開始した後に所定時間が経過したか否かを判断し、該所定時間が経過した時点にて、前記検知手段によってドア（２）が全閉状態となっていないことが検知されたときは、ディスク（１０）の回転を停止させると共に、ドアモータ（４４）をドア開方向に回転させて、ドア（２）を開く。
【０００９】
該具体的構成においては、ユーザが全閉状態のドアを無理に開けて、その後もドアモータ（４４）の駆動に抗してドア（２）を開いたままに保持し続けた場合、前記所定時間が経過することとになり、この結果、ディスク（１０）の回転が停止すると共に、ドアモータ（４４）がドア開方向に回転して、ドア（２）が開くことになる。
この様に、ディスク（１０）の回転が自動的に停止するので、ユーザが怪我をする等の危険はない。
【００１０】
又、本発明に係るディスク再生装置は、
ディスク装着を覆うドア（２）が全閉状態であるか否かを検知する検知手段と、
ドア閉モードにて、前記検知手段によってドア（２）が全閉状態から開いたことが検知されたとき、ディスク（１０）の回転を停止させると共に、ドアモータ（４４）をドア開方向に回転させて、ドア（２）を開く制御手段
とを具えている。
【００１１】
上記本発明のディスク再生装置においては、ディスクの再生中に、大きな振動が加わることによってドアが全閉状態から開いたり、ユーザ自身が全閉状態のドアを手で無理に開けた場合、このことが検知手段によって検知され、該検知に基づいて、ディスク（１０）の回転が停止すると共に、ドアモータ（４４）がドア開方向に回転して、ドア（２）が開くことになる。
この様に、ディスク（１０）の回転が自動的に停止するので、ユーザが怪我をする等の危険はない。
【００１２】
【発明の効果】
本発明に係るディスク再生装置によれば、ドアにロック機構を設けることなく、ディスク再生中にドアが開いたときの危険を回避することが出来る。
【００１３】
【発明の実施の形態】
以下、本発明の実施の形態につき、図面に沿って具体的に説明する。
本発明に係るディスク再生装置は、図１に示す如く、キャビネット（１）の前面に左右一対のスピーカ（１１）（１１）を具えると共に、操作キー群（１２）やディスプレイ（１３）を具えている。
キャビネット（１）前面の中央部には、図３に示す如く、ディスクチャック機構（図示省略）を具えたターンテーブル（３）が配備されており、該ターンテーブル（３）にディスク（１０）をチャッキングした状態で、ターンテーブル（３）をディスクモータ（図示省略）によって回転駆動することにより、ディスク（１０）は高速回転して、該ディスク（１０）に記録されている信号の再生が行なわれる。
【００１４】
又、キャビネット（１）の前面には、ターンテーブル（３）にチャッキングされたディスク（１０）を覆うことが可能なドア（２）が、図１〜図３に示す如く左右方向へスライド可能に配備され、ディスク装着部を開閉することが可能となっている。
更にキャビネット（１）には、図３に示す如くドア（２）が全開状態まで開いたときにオンとなるドア開スイッチ（４５）と、図１に示す如くドア（２）が全閉状態まで閉じたときにオンとなるドア閉スイッチ（４６）とが配備されている。
【００１５】
図４は、上記ディスク再生装置の電気的な構成の主要部を表わしており、種々の制御を司るマイクロコンピュータ（４）に、前述の操作キー群（１２）、ディスプレイ（１３）、ドア開スイッチ（４５）及びドア閉スイッチ（４６）が接続されている。
又、マイクロコンピュータ（４）にはラジオ受信回路（４１）及びディスク再生回路（４２）が接続されており、ラジオ受信回路（４１）の動作によってラジオ放送の受信及び音声再生が可能であると共に、ディスク再生回路（４２）によってディスクの音声再生が可能となっている。
更に又、マイクロコンピュータ（４）には、モータドライバー（４３）を介してドアモータ（４４）が接続されており、該ドアモータ（４４）によって前述のドア（２）が開閉駆動される。
【００１６】
図５は、前記のマイクロコンピュータ（４）が実行するドア（２）の開閉制御の手続きを表わしている。
ドア閉モードにおいて、先ずステップＳ１では、ドア閉スイッチ（４６）がオフとなったか否かが判断され、ノーと判断されたときは手続きを終了する。
ここで、ユーザがドア（２）をドアモータ（４４）の短絡によるブレーキ力に抗して無理に開けようとし、これによって図２に示す如くドア（２）が僅かに開いた場合、図５のステップＳ１にてイエスと判断され、ステップＳ２に移行して、ドアモータ（４４）をドア閉方向に駆動する。これによって、ドア（２）は強制的に閉じられることになる。
【００１７】
次にステップＳ３では、ドア閉スイッチ（４６）がオンとなったか否かが判断される。ドア（２）が全閉状態に達するまでは、ドア閉スイッチ（４６）はオフであるので、ステップＳ３ではノーと判断され、ステップＳ４へ移行する。
ステップＳ４では、ドアモータ（４４）がドア閉方向の回転を開始してからの時間が２秒を経過したか否かが判断される。最初はノーと判断されてステップＳ２へ戻り、ドアモータ（４４）の駆動が継続される。
【００１８】
その後、ドア（２）が全閉状態まで閉じられたとき、ドア閉スイッチ（４６）がオンとなり、ステップＳ３でイエスと判断され、手続きは終了する。
但し、例えばユーザがドア（２）を全閉状態から開いてそのままドア（２）を保持した場合には、ドア閉スイッチ（４６）がオフのままで２秒が経過するため、ステップＳ４にてイエスと判断され、ステップＳ５へ移行する。
【００１９】
ステップＳ５では、ディスク再生による演奏中であるか否かを判断し、ここでイエスと判断されたときは、ステップＳ６にてディスクブレーキ制御を行なって、ディスク（１０）の回転を停止させた後、ステップＳ７へ移行する。又、ラジオ放送の受信中であって、ステップＳ５にてノーと判断されたときは、ステップＳ６を迂回してステップＳ７へ移行する。
【００２０】
ステップＳ７では、ドアモータ（４４）をドア開方向に駆動した後、ステップＳ８にてドア開スイッチ（４５）がオンとなったか否かを判断する。ドア（２）が全開位置に達するまではステップＳ８にてノーと判断され、ステップＳ７に戻ってドアモータ（４４）の駆動が継続される。
その後、ドア（２）が全開位置に達すると、ステップＳ８にてイエスと判断され、手続きが終了する。
【００２１】
上記制御手続きによれば、ドア閉モードにてディスクの再生中或いはラジオ放送の受信中に、大きな振動が加わることによってドア（２）が全閉状態から開いたり、ユーザ自身が全閉状態のドア（２）を手で無理に開けた場合、このことがドア閉スイッチ（４６）によって検知され、該検知に基づいて、ドアモータ（４４）がドア閉方向に駆動され、ドア（２）が強制的に閉じられる。
従って、高速回転するディスクは再びドア（２）によって覆われることとなり、ディスク（１０）が損傷したり、ユーザが怪我をする危険が回避される。
又、ユーザがドア（２）を無理に開けたままに保持したときには、ディスク（１０）の回転を強制的に停止させるので、ディスク（１０）が損傷したり、ユーザが怪我をする危険が回避されると共に、ドアモータ（４４）に回転方向とは逆方向の力を作用させることによるドアモータ（４４）の損傷が回避される。
【００２２】
尚、本発明の各部構成は上記実施の形態に限らず、特許請求の範囲に記載の技術的範囲内で種々の変形が可能である。例えば、図５に示す例では、ユーザがドア（２）を無理に開けたとき、一旦ドア（２）を閉じる制御を行なった後、それでもドア（２）が全閉とならないときは、ディスク（１０）の回転を停止させる制御を行なっているが、ドア閉モードにてドア（２）が無理に開かれたことが検知されたときは、ドア（２）を閉じる制御は省略して、ディスク（１０）の回転を停止させると共に、ドア（２）を開く制御を行なうことも可能である。該制御方式の採用によれば、ディスク（１０）の回転が自動的に停止するので、ディスク（１０）が損傷したり、ユーザが怪我をする危険が回避される。
【図面の簡単な説明】
【図１】本発明に係るディスク再生装置のドア全閉状態を示す斜視図である。
【図２】該ディスク再生装置においてドアが全閉位置から僅かに開かれた状態を示す斜視図である。
【図３】該ディスク再生装置のドア全開状態を示す斜視図である。
【図４】該ディスク再生装置の主要回路構成を示すブロック図である。
【図５】該ディスク再生装置におけるドア開閉制御の手続きを示すフローチャートである。
【符号の説明】
（１）  キャビネット
（１０）  ディスク
（１１）  スピーカ
（１２）  操作キー群
（１３）  ディスプレイ
（２）  ドア
（３）  ターンテーブル
（４）  マイクロコンピュータ
（４５）  ドア開スイッチ
（４６）  ドア閉スイッチ
【図１】
2004355768.tif 000003
【図２】
2004355768.tif 000004
【図３】
2004355768.tif 000005
【図４】
2004355768.tif 000006
【図５】
2004355768.tif 000007